(57)【要約】【課題】２色の並列的筆記線を筆記する筆記具を提案する。【解決手段】ペン先として後端部を第１インク導入部材及び第２インク導入部材に切り分けた構成のものを用い、第１インク導入部材及び第２インク導入部材をそれぞれ第１中綿及び第２中綿に差し込んで第１インク及び第２インクを先端面に形成された第１インク筆記部及び第２インク筆記部に供給するようにしたことにより、先端面が筆記動作したとき筆記対象面上に並列的な２色の筆記線を表記でき、これにより見栄え効果の高い色違いの線を筆記できる筆記具を得ることができる。【選択図】図４
0003128347.tif 000002
【実用新案登録請求の範囲】
【請求項１】
第１色の第１インクを含浸してなる第１中綿及び上記第１色とは異なる第２色の第２インクを含浸してなる第２中綿を保持するペン軸と、
上記ペン軸の先端部に装着されたペン先と
を具え、
上記ペン先は後端部を第１インク導入部材及び第２インク導入部材に切り分けられ、上記第１インク導入部材を上記第１中綿に差し込むことにより当該第１中綿から導入した上記第１インクを先端面に形成された第１インク筆記部に供給すると共に、上記第２インク導入部材を上記第２中綿に差し込むことにより当該第２中綿から導入した上記第２インクを上記第１インク筆記部に対して間隙を間に挟んで横並びするように上記先端面に形成された第２インク筆記部に供給し、
上記ペン先の上記先端面が筆記対象面上を筆記動作したとき、上記第１インク筆記部及び上記第２インク筆記部によって上記第１インク及び上記第２インクによる上記第１色及び上記第２色の筆記線を並列的に表記する
ことを特徴とする筆記具。
【請求項２】
上記ペン先は、上記第１インク導入部材から上記第１インク筆記部に連通する第１の毛細管路群と、上記第２インク導入部材から上記第２インク筆記部に連通する第２の毛細管路群とを有する
ことを特徴とする請求項１に記載の筆記具。
【考案の詳細な説明】
【技術分野】
【０００１】
本考案は筆記具に関し、特に、同時に２色の線を並列的に筆記できるようにしたものである。
【背景技術】
【０００２】
従来、筆記用カード（例えばカリグラフィ、スクラップブッキングで用いられる）や賀状などに飾り文字を筆記する手段として、平板状ペン先を有する筆記具によって、ペン軸を回動して筆記することにより、線の太さを必要に応じて変えながら筆記する方法が用いられている（特許文献１及び２参照）。
【特許文献１】実開昭６３−１０６６８２号公報
【特許文献２】実用新案登録第３０５４６３６号公報
【考案の開示】
【考案が解決しようとする課題】
【０００３】
この種の筆記具によって飾り文字を筆記する場合、筆記する線として、１本の線が２色の並列線で筆記できるようにすれば、飾り文字として一段と見栄え効果が大きい線を筆記できると考えられる。
【０００４】
本考案は以上の点を考慮してなされたもので、２色の並列線でなる線を筆記できる筆記具を提案しようとするものである。
【課題を解決するための手段】
【０００５】
かかる課題を解決するため本考案においては、第１色の第１インク６Ａを含浸してなる第１中綿３Ａ及び第１色とは異なる第２色の第２インク６Ｂを含浸してなる第２中綿３Ｂを保持するペン軸２と、ペン軸２の先端部に装着されたペン先１１とを具え、ペン先１１は後端部を第１インク導入部材１１Ａ及び第２インク導入部材１１Ｂに切り分けられ、第１インク導入部材１１Ａを第１中綿３Ａに差し込むことにより当該第１中綿３Ａから導入した第１インク６Ａを先端面に形成された第１インク筆記部１１ＡＲに供給すると共に、第２インク導入部材１１Ｂを第２中綿３Ｂに差し込むことにより当該第２中綿３Ｂから導入した第２インク６Ｂを第１インク筆記部１１ＡＲに対して間隙１１Ｄを間に挟んで横並びするように先端面１１Ｃに形成された第２インク筆記部１１ＢＲに供給し、ペン先１１の先端面１１Ｃが筆記対象面上を筆記動作したとき、第１インク筆記部１１ＡＲ及び第２インク筆記部１１ＢＲによって第１インク６Ａ及び第２インク６Ｂによる第１色及び第２色の筆記線を並列的に表記する。
【考案の効果】
【０００６】
本考案によれば、ペン先として後端部を第１インク導入部材及び第２インク導入部材に切り分けた構成のものを用い、第１インク導入部材及び第２インク導入部材をそれぞれ第１中綿及び第２中綿に差し込んで第１インク及び第２インクを先端面に形成された第１インク筆記部及び第２インク筆記部に供給するようにしたことにより、先端面が筆記動作したとき筆記対象面上に並列的な２色の筆記線を表記でき、これにより見栄え効果の高い色違いの線を筆記できる筆記具を得ることができる。
【考案を実施するための最良の形態】
【０００７】
以下図面について、本考案の一実施の形態を詳述する。
【０００８】
（１）第１の実施の形態
図１（Ａ）及び（Ｂ）において、１は全体として筆記具を示し、合成樹脂材料で成形された円筒形状のペン軸２を有し、当該ペン軸２内に図２に示すように断面がほぼ半円形状であって、棒状の２本の中綿、すなわち第１中綿３Ａ及び第２中綿３Ｂが、インク混合防止用の仕切り板４を間に挟んで収納されている。
【０００９】
ペン軸２の後端部には、ペン軸尾栓５が嵌め込まれており、これにより第１中綿３Ａ及び第２中綿３Ｂがペン軸尾栓５の先端面とペン軸２の先端面に形成された小径のペン先保持部２Ａに連接する段部２Ｂとの間に位置決めされている。
【００１０】
第１中綿３Ａ及び第２中綿３Ｂには、互いに異なる色の第１インク６Ａ及び第２インク６Ｂが含浸されており、この第１インク６Ａ及び第２インク６Ｂが第１中綿３Ａ及び第２中綿３Ｂの先端部に先端側から差し込まれたペン先１１の第１及び第２インク導入部材１１Ａ及び１１Ｂ（二股に分岐した構成を有する）を通ってペン先１１の先端面１１Ｃに供給される。
【００１１】
ペン先１１は、図３に示すように、ペン先ホルダ１２に取り付けられた状態でペン先ホルダ１２がペン先保持部２Ａに圧入されることにより、ペン軸２の先端部に固着される。
【００１２】
ペン先ホルダ１２は金属材料又は合成樹脂材料でなるホルダ本体１３を有し、その先端部に先細となるように形成された支持部１３Ａにペン先１１の先端部を圧入、又は接着、又は圧着保持すると共に、ペン先１１の後端部をホルダ本体１３の後端面に装着されたセパレータ１４によって保持している。
【００１３】
ペン先１１は、図４（Ａ）及び（Ｂ）に拡大して示すように、平板状外観形状を有し、かつ先端から後端に貫通するように多数の毛細管路群を有し、ＰＯＭ、ポリフッ化ビニリデンなどの合成樹脂材料で押出し成形加工された板材２０でなる。
【００１４】
板材２０のうち第１インク導入部材１１Ａを構成する部分の毛細管路群２０Ａと、第２インク導入部材１１Ｂを構成する部分の毛細管路群２０Ｂとは、毛細管路群が形成されていない区分領域２０Ｃによって区分されていると共に、当該区分領域２０Ｃの後端部側に切れ目２０Ｄが形成されていることにより第１インク導入部材１１Ａと第２インク導入部材１１Ｂとが切り離されている。これにより各毛細管路群２０Ａ及び２０Ｂがペン先１１の第１インク筆記部１１ＡＲ及び第２インク筆記部１１ＢＲに連通する。第１及び第２インク筆記部１１ＡＲ及び１１ＢＲは、図５に示すように、当該ペン先１１の先端面１１Ｃに、間隙１１Ｄを間に挟んで横並びするように形成されている。
【００１５】
実際上ペン先１１から第１及び第２インク導入部材１１Ａ及び１１Ｂを厚さ方向に二股に分岐する構成を得るため、平板状の板材２０（図４（Ａ））の状態でカッタを用いて切れ目２０Ｄを入れた後、板材部分２１Ａ及び２１Ｂを二股形状に折り曲げた状態で（図４（Ｂ））、ペン先ホルダ１２のホルダ本体１３（図３）にペン先１１の先端部を固着すると共に、ホルダ本体１３の後端側に環状のセパレータ１４を設けると共に、第１及び第２インク導入部材１１Ａ及び１１Ｂ間にくさび部材１４Ｘを嵌め込むことにより、第１及び第２インク導入部材１１Ａ及び１１Ｂを二股形状を維持させた状態でペン先ホルダ１２に組み込む。
【００１６】
以上の構成において、筆記具１の筆記動作時、第１及び第２中綿３Ａ及び３Ｂにそれぞれ含浸された第１及び第２色のインク６Ａ及び６Ｂは、それぞれ第１及び第２インク導入部材１１Ａ及び１１Ｂの毛細管路群２０Ａ及び２０Ｂの毛細管現象によってペン先１１の第１及び第２インク筆記部１１ＡＲ及び１１ＢＲに供給される。
【００１７】
かくして、ペン先１１の先端面１１Ｃにおいて、間隙１１Ｄを間に挟んで横並びするように配設された第１及び第２インク筆記部１１ＡＲ及び１１ＢＲに第１及び第２色の第１及び第２インクが供給されることにより、図６に示すように、筆記具１によって筆記された筆記対象面としての筆記用紙には、第１及び第２色の筆記線１５Ａ及び１５Ｂが並列的に表記される。
【００１８】
その各筆記線１５Ａ及び１５Ｂの太さは、ペン軸２を筆記方向に対して回動させることにより変更することができ、かくしても第１及び第２色による２本の筆記線１５Ａ及び１５Ｂは並列状態を維持できるので、飾り文字を筆記する場合の見栄え効果を高く維持できる。
【００１９】
（２）第２の実施の形態
図７（Ａ）及び（Ｂ）は第２の実施の形態を示すもので、図４（Ａ）及び（Ｂ）との対応部分に同一符号を付して示すように、第１インク導入部材１１Ａにおいて区分領域２０Ｃとほぼ並行に毛細管路が設けられていない区分領域２５Ａが形成され、これにより第１インク導入１１Ａの毛細管路群２０Ａが２つの毛細管路群２０Ａ１及び２０Ａ２に分割されている。
【００２０】
その結果、図８に示すように、ペン先１１の先端面１１Ｃにおいて、第１インク筆記部１１ＡＲが間に間隙２６Ａを挟んで２つのインク筆記部分１１ＡＲ１及び１１ＡＲ２に分割され、これにより筆記具１が筆記動作したとき、図９に示すように、第１色のインクについて２本の並列線１５Ａ１及び１５Ａ２を表記できるようになされている。
【００２１】
第２インク導入部材１１Ｂの部分についても同様に、区分領域２０Ｃとほぼ並行に毛細管路群をもたない区分領域２５Ｂが形成され、これにより毛細管路群２０Ｂが２つの毛細管路群２０Ｂ１及び２０Ｂ２に分割される。
【００２２】
この結果、図９に示すように、ペン先１１のうち第２色の第２インク筆記部１１ＲＢが間に間隙２６Ｂを挟んで２つのインク筆記部分１１ＢＲ１及び１１ＢＲ２に分割され、これにより筆記具１が筆記動作したとき第２色の筆記線として並列的な２本の筆記線１５Ｂ１及び１５Ｂ２が表記される。
【００２３】
以上の構成によれば、第１色及び第２色の筆記線として、それぞれ２本の筆記線１５Ａ１、１５Ａ２及び１５Ｂ１、１５Ｂ２を並列的に表記することができ、その結果飾り文字として、さらに一段と特異性のある飾り文字を書くことができる。
【００２４】
（３）他の実施の形態
上述の実施の形態においては、第１中綿３Ａ及び第２中綿３Ｂ間にインク混合防止用の仕切り板４を設けた場合について述べたが、第１中綿３Ａ及び第２中綿３Ｂとしてインク流出封止用の外被を形成するようにしても良く、この場合には仕切り板４を省略できる。
【００２５】
また上述の実施の形態において、ペン先１１として先端面から後端面まで貫通するような毛細管路群を形成し、その毛細管現象を利用して第１及び第２中綿３Ａ及び３Ｂからペン先１１にインクを供給するようにしたが、毛細管路群を設けることに代えて、ペン先１１を繊維材料で構成し、当該繊維間の毛細管現象を利用してインクを供給するようにしても、上述の場合と同様の効果を得ることができる。
【産業上の利用可能性】
【００２６】
本考案はサインペン、カラーペン、蛍光ペンなど種々の目的の筆記具に利用できる。
【図面の簡単な説明】
【００２７】
【図１】（Ａ）及び（Ｂ）は本考案の一実施の形態による筆記具を示す横断面図及び縦断面図である。
【図２】図１（Ｂ）のＫ２−Ｋ２断面図である。
【図３】（Ａ）及び（Ｂ）はペン先ホルダを示す横断面図及び縦断面図である。
【図４】（Ａ）及び（Ｂ）はペン先を示す拡大平面図及び側面図である。
【図５】図４のペン先の先端面を示す側面図である。
【図６】図４のペン先による筆記線を示す略線図である。
【図７】（Ａ）及び（Ｂ）は第２の実施の形態のペン先を示す拡大平面図及び側面図である。
【図８】図７のペン先の先端面を示す側面図である。
【図９】図７のペン先による筆記線を示す略線図である。
【符号の説明】
【００２８】
１……筆記具、２……ペン軸、２Ａ……ペン先保持部、２Ｂ……段部、３Ａ、３Ｂ……第１、第２中綿、４……仕切り板、５……ペン軸尾栓、６Ａ、６Ｂ……第１、第２インク、１１……ペン先、１１Ａ、１１Ｂ……第１、第２インク導入部材、１１ＡＲ、１１ＢＲ……第１、第２インク筆記部、１１ＡＲ１、１１ＡＲ２、１１ＢＲ１、１１ＢＲ２……インク筆記部分、１２……ペン先ホルダ、１３……ホルダ本体、１３Ａ……支持部、１４……セパレータ、１４Ｘ……くさび部材、２０……板材、２０Ａ、２０Ｂ、２０Ａ１、２０Ａ２、２０Ｂ１、２０Ｂ２……毛細管路群、２０Ｃ……区分領域、２０Ｄ……切れ目、２５Ａ、２５Ｂ……区分領域。
【図１】
0003128347.tif 000003
【図２】
0003128347.tif 000004
【図３】
0003128347.tif 000005
【図４】
0003128347.tif 000006
【図５】
0003128347.tif 000007
【図６】
0003128347.tif 000008
【図７】
0003128347.tif 000009
【図８】
0003128347.tif 000010
【図９】
0003128347.tif 000011